(57)【特許請求の範囲】
【請求項１】
リセプタクルコネクタに設けられた嵌合凹部に挿入されるべく第１の方向に伸びる嵌合凸部を形成する絶縁ハウジングと、
上記嵌合凸部における上記第１の方向に直交する第２の方向において相互対向する対向側壁部の一方に配される第１の接触部を有して上記第１の方向に配列配置され、上記第１の接触部が上記嵌合凹部に設けられた第１のリセプタクル側導電コンタクトに接触するものとされる複数の第１の導電コンタクトと、
上記対向側壁部の他方に配される第２の接触部を有して上記第１の方向に配列配置され、上記第２の接触部が上記嵌合凹部に設けられた第２のリセプタクル側導電コンタクトに接触するものとされる複数の第２の導電コンタクトと、
上記絶縁ハウジングと一体化されて設けられる導電性シェルと、
を備えて成り、
上記導電性シェルが、上記複数の第１の導電コンタクトにおける上記第１の接触部の配列と上記複数の第２の導電コンタクトにおける上記第２の接触部の配列との間に上記第１の方向に伸びて配される中間グラウンド部と、該中間グラウンド部に連結されて上記嵌合凹部に設けられたリセプタクル側グラウンド接触部に接触するグラウンド接触部とが、一体形成されて成るものとされ、上記グラウンド接触部が、上記中間グラウンド部に沿って配列配置されて設けられて上記中間グラウンド部と上記導電性シェルの他の部分とを連結する複数の連結接続部により形成され、該複数の連結接続部の夫々が、上記複数の第１もしくは第２の導電コンタクトのうちの相互隣接する２個の間に配されることを特徴とするコネクタ装置。
【請求項２】
上記複数の第１の導電コンタクトのうちの配列端部に位置するもの以外のものが、上記複数の第２の導電コンタクトのうちの相互隣接する２個の間の部位に対向する部位に配置されることを特徴とする請求項１記載のコネクタ装置。
【請求項３】
上記導電性シェルが、上記絶縁ハウジングにインサート成形により埋め込まれる部分を有して該絶縁ハウジングと一体化されることを特徴とする請求項１記載のコネクタ装置。
【請求項４】
上記導電性シェルが、上記第１及び第２の導電コンタクトの夫々に芯線導体が接続される複数の同軸ケーブルの各々のグラウンド導体に接続されるグラウンド接続部が設けられるものとされることを特徴とする請求項１記載のコネクタ装置。
【発明の詳細な説明】
【技術分野】
【０００１】
本願の特許請求の範囲に記載された発明は、ケーブルやフレキシブル印刷配線基板（ＦＰＣ）等が連結されて、ソリッド印刷配線基板等に設置されたリセプタクルコネクタに差込接続される、プラグコネクタとして用いられるコネクタ装置に関する。
【背景技術】
【０００２】
複数の比較的細いケーブルや比較的小型なフレキシブル印刷配線基板を、各種の電気部品が取り付けられるソリッド印刷配線基板に接続するにあたっては、複数のケーブルあるいはフレキシブル印刷配線基板が連結されるプラグコネクタと、ソリッド印刷配線基板との電気的接続がなされ、プラグコネクタが差込接続されるリセプタクルコネクタと、が用いられることが多い。プラグコネクタには、複数のケーブル等との電気的接続がなされて配列配置される複数の導電コンタクトとグラウンド電位（接地電位）が与えられるグラウンド部とが配される嵌合凸部が設けられる。また、リセプタクルコネクタには、プラグコネクタに設けられた嵌合凸部が挿入される嵌合凹部が設けられ、その嵌合凹部内において、各々の一端部が端子部とされてソリッド印刷配線基板に接続されるもとで配列配置された複数のリセプタクル側導電コンタクトに、プラグコネクタの嵌合凸部における複数の導電コンタクトが夫々押圧接触し、また、接触ばね部等として形成されるリセプタクル側グラウンド接触部に、プラグコネクタの嵌合凸部におけるグラウンド接触部が接触する。
【０００３】
プラグコネクタは、嵌合凸部に配される複数の導電コンタクトが、例えば、嵌合凸部におけるその長手方向に沿って伸びる一対の対向側壁部の夫々に配列配置される接触部を有するものとされ、斯かる複数の接触部をリセプタクルコネクタにおける嵌合凹部内に配列配置された複数のリセプタクル側導電コンタクトに夫々接触させる。従って、プラグコネクタにおける嵌合凸部において、対向側壁部の一方に配列配置された複数の導電コンタクトの接触部の配列と対向側壁部の他方に配列配置された複数の導電コンタクトの接触部の配列とが、比較的小なる間隔を置いて相互対向する状態におかれる。
【０００４】
そして、プラグコネクタにあっては、それにおける複数の導電コンタクトに、例えば、複数の同軸ケーブルの芯線導体が夫々接続されて、同軸ケーブルの芯線導体を通じた信号が供給される。そのため、比較的小なる間隔を置いて相互対向する一対の配列を成す、嵌合凸部の対向側壁部の一方に配列配置された複数の導電コンタクトの接触部と嵌合凸部の対向側壁部の他方に配列配置された複数の導電コンタクトの接触部との間で、信号クロストークが発生する虞がある。
【０００５】
そこで、このようなプラグコネクタにおける導電コンタクトの接触部間の信号クロストークへの対策が要望されるところとなる。斯かる要望に応えるべく、従来、プラグコネクタにおける比較的有効に作用するクロストーク対策として、相互対向する一対の配列の一方を形成する複数の導電コンタクトの接触部と他方を形成する複数の導電コンタクトの接触部との間に、グラウンド電位が与えられるグラウンド板部材を配置することが提案されている（例えば、特許文献１参照。）。
【０００６】
このような従来提案されているグラウンド板部材を備えたプラグコネクタにあっては、比較的小なる間隔を置いて相互対向する接触部を有したシグナル用プラグコンタクトの対の複数個が、各々についての間隔の位置を揃えて配列配置されるとともに、シグナル用プラグコンタクトの数対（例えば９対）ごとに、それらを区切るように、グラウンド用プラグコンタクトが配置される。そして、配列配置された複数のシグナル用プラグコンタクトの対の各々における相互対向する接触部の間にセンターグラウンド板が配され、このセンターグラウンド板が、グラウンド用プラグコンタクトに連結されて、グラウンド電位が与えられるものとされる。
【０００７】
従って、各シグナル用プラグコンタクトの対をなす２個のシグナル用プラグコンタクトの夫々の接触部は、グラウンド電位が与えられるセンターグラウンド板を挟んで相互対向することになり、それによって両者間の信号クロストークの防止もしくは低減が図られることが意図されたものとなっている。
【０００８】
【特許文献１】特開平１１−３２９５９１号公報（第２〜５頁、図２〜４）
【発明の開示】
【発明が解決しようとする課題】
【０００９】
上述のように、比較的小なる間隔を置いて相互対向する接触部を有したシグナル用プラグコンタクトの対の複数個が配列配置され、それらの各々をなす２個のシグナル用プラグコンタクトの夫々の接触部の間にセンターグラウンド板が配されて、それがグラウンド用プラグコンタクトに連結される構成がとられた、従来提案されているプラグコネクタにあっては、相互対向するシグナル用プラグコンタクトの接触部間の信号クロストークへの対策については、意図された作用効果がそれなりに期待されるものといえる。しかしながら、斯かるプラグコネクタは、その反面、次のような不都合を伴っている。
【００１０】
先ず、配列配置された複数のシグナル用プラグコンタクトの対の各々をなす２個のシグナル用プラグコンタクトの夫々の接触部の間に配されるセンターグラウンド板と、シグナル用プラグコンタクトの数対ごとに、それらを区切るように配置されるグラウンド用プラグコンタクトとが、別々の部材とされたもとで、両者が連結されて構成されるので、部品点数の増加がまねかれるとともに、プラグコネクタとしての組立て性の悪化がもたらされる。また、プラグコネクタとしてのグラウンド特性を向上させるべく、センターグラウンド板が連結されるグラウンド用プラグコンタクトの数を増加させようとすると、それに伴って、複数のシグナル用プラグコンタクトの対の配列方向におけるプラグコネクタの全長の増大による大型化がまねかれることになってしまう。
【００１１】
斯かる点に鑑み、本願の特許請求の範囲に記載された発明は、配列配置される複数の導電コンタクトが配されて、リセプタクルコネクタに設けられた嵌合凹部に挿入される嵌合凸部が設けられ、当該嵌合凸部において、その長手方向に伸びる対向側壁部の一方に配列配置された複数の導電コンタクトの接触部の配列と対向側壁部の他方に配列配置された複数の導電コンタクトの接触部の配列とが、比較的小なる間隔を置いて相互対向する状態におかれる構造を有したもとで、部品点数の増加が抑えられるとともに、プラグコネクタとしての組立て性の悪化がもたらされず、しかも、全体の大型化がまねかれることなく、嵌合凸部において相互対向する一対の配列を成す複数の導電コンタクトの接触部間における信号クロストークへの対策が効果的に図られることになる、プラグコネクタとして用いられるコネクタ装置を提供する。
【課題を解決するための手段】
【００１２】
本願の特許請求の範囲における請求項１から請求項４までのいずれかに記載された発明（以下、本発明という。）に係るコネクタ装置は、リセプタクルコネクタに設けられた嵌合凹部に挿入されるべく第１の方向に伸びる嵌合凸部を形成する絶縁ハウジングと、嵌合凸部における第１の方向に直交する第２の方向において相互対向する対向側壁部の一方に配される第１の接触部を有して第１の方向に配列配置され、第１の接触部が嵌合凹部に設けられた第１のリセプタクル側導電コンタクトに接触するものとされる複数の第１の導電コンタクトと、上述の対向側壁部の他方に配される第２の接触部を有して第１の方向に配列配置され、第２の接触部が嵌合凹部に設けられた第２のリセプタクル側導電コンタクトに接触するものとされる複数の第２の導電コンタクトと、絶縁ハウジングと一体化されて設けられる導電性シェルとを備えて構成される。そして、導電性シェルが、複数の第１の導電コンタクトにおける第１の接触部の配列と複数の第２の導電コンタクトにおける第２の接触部の配列との間に第１の方向に伸びて配される中間グラウンド部と、中間グラウンド部に連結されて嵌合凹部に設けられたリセプタクル側グラウンド接触部に接触するグラウンド接触部とが、一体形成されて成るものとされ、さらに、導電性シェルにおけるグラウンド接触部が、中間グラウンド部に沿って配列配置されて設けられて中間グラウンド部と導電性シェルの他の部分とを連結する複数の連結接続部により形成され、当該複数の連結接続部の夫々が、複数の第１もしくは第２の導電コンタクトのうちの相互隣接する２個の間に配される。
【００１３】
特に、本発明に係るコネクタ装置のうちの請求項２に記載されたものにあっては、複数の第１の導電コンタクトのうちの配列端部に位置するもの以外のものが、複数の第２の導電コンタクトのうちの相互隣接する２個の間の部位に対向する部位に配置される。
【００１４】
また、本発明に係るコネクタ装置のうちの請求項３に記載されたものにあっては、導電性シェルが、絶縁ハウジングにインサート成形により埋め込まれる部分を有して、絶縁ハウジングと一体化される。
【００１５】
さらに、本発明に係るコネクタ装置のうちの請求項４に記載されたものにあっては、導電性シェルに、第１及び第２の導電コンタクトの夫々に芯線導体が接続される複数の同軸ケーブルの各々のグラウンド導体に接続されるグラウンド接続部が設けられる。
【００１６】
上述のように構成される本発明に係るコネクタ装置にあっては、リセプタクルコネクタに設けられた嵌合凹部に挿入される嵌合凸部を形成する絶縁ハウジングとそれと一体化されて設けられる導電性シェルとが備えられる。そして、絶縁ハウジングに、それが形成する嵌合凸部における相互対向する対向側壁部の一方に配される第１の接触部を有した複数の第１の導電コンタクトが配列配置されるとともに、上述の対向側壁部の他方に配される第２の接触部を有した複数の第２の導電コンタクトが配列配置されるもとで、導電性シェルが、複数の第１の導電コンタクトにおける第１の接触部の配列と複数の第２の導電コンタクトにおける第２の接触部の配列との間に、これらの配列に沿って配される中間グラウンド部と、中間グラウンド部に連結されて上述の嵌合凹部に設けられたリセプタクル側グラウンド接触部に接触するグラウンド接触部とが、一体形成されて成るものとされる。さらに、導電性シェルにおけるグラウンド接触部を形成する複数の連結接続部の夫々が、複数の第１もしくは第２の導電コンタクトのうちの相互隣接する２個の間に配される。
【００１７】
それにより、嵌合凸部における対向側壁部の一方に配される第１の接触部を有した複数の第１の導電コンタクトにおける第１の接触部の配列と嵌合凸部における対向側壁部の他方に配される第２の接触部を有した複数の第２の導電コンタクトにおける第２の接触部の配列とが、導電性シェルを構成する中間グラウンド部を挟んで対向するものとされ、中間グラウンド部がそれと共に導電性シェルを構成するグラウンド接触部を通じてリセプタクル側グラウンド接触部に接続されることになる。その結果、中間グラウンド部とグラウンド接触部とが一体形成されて成る導電性シェルによって、複数の第１の導電コンタクトの夫々と複数の第２の導電コンタクトの夫々との間における信号クロストークの発生が防止される。また、グラウンド接触部が複数の連結接続部によって形成されてそれらの夫々が複数の第１もしくは第２の導電コンタクトのうちの相互隣接する２個の間に配されることにより、複数の第１の導電コンタクトの配列と複数の第２の導電コンタクトの配列との間に配される中間グラウンド部のグラウンド特性が向上する。
【００１８】
そして、本発明に係るコネクタ装置のうちの請求項２に記載されたものにおいては、複数の第１の導電コンタクトのうちの配列端部に位置するもの以外のものが、複数の第２の導電コンタクトのうちの相互隣接する２個の間の部位に対向する部位に配置される。
【００１９】
本発明に係るコネクタ装置のうちの請求項３に記載されたものにおいては、絶縁ハウジングと一体化される導電性シェルが、絶縁ハウジングにインサート成形により埋め込まれる部分を有したものとされる。
【００２０】
本発明に係るコネクタ装置のうちの請求項４に記載されたものにおいては、導電性シェルにグラウンド接続部が設けられ、そのグラウンド接続部に、第１及び第２の導電コンタクトの夫々に芯線導体が接続される複数の同軸ケーブルの各々のグラウンド導体が直接に接続される。
【００２１】
このような本発明に係るコネクタ装置は、例えば、ソリッド印刷配線基板に取り付けられたリセプタクルコネクタに設けられた嵌合凹部に、嵌合凸部が、複数の第１及び第２の導電コンタクト及びグラウンド接触部を、嵌合凹部に配されてソリッド印刷配線基板における信号用接続部に接続された複数の第１及び第２のリセプタクル側導電コンタクト及びリセプタクル側グラウンド接触部に、夫々接触させるべく挿入され、それによりリセプタクルコネクタに差込接続されるプラグコネクタとして用いられる。
【発明の効果】
【００２２】
上述の本発明に係るコネクタ装置によれば、嵌合凸部を形成する絶縁ハウジングと一体化されて設けられる導電性シェルが、嵌合凸部における対向側壁部の一方に配される第１の接触部を有した複数の第１の導電コンタクトにおける第１の接触部の配列と嵌合凸部における対向側壁部の他方に配される第２の接触部を有した複数の第２の導電コンタクトにおける第２の接触部の配列との間に配される中間グラウンド部と、それに連結されてリセプタクル側グラウンド接触部に接続されるグラウンド接触部とが、一体形成されて成るものとされるので、その導電性シェルにより、部品点数の増加をまねかず、かつ、プラグコネクタとしての組立て性の悪化をもたらすことなく、複数の第１の導電コンタクトの夫々と複数の第２の導電コンタクトの夫々との間における信号クロストークの発生防止効果を得ることができる。さらに、導電性シェルのグラウンド接触部が複数の連結接続部によって形成され、それらの夫々が複数の第１もしくは第２の導電コンタクトのうちの相互隣接する２個の間に配されるようにすることにより、複数の第１の導電コンタクトの配列と複数の第２の導電コンタクトの配列との間に配される中間グラウンド部のグラウンド特性の向上を図ることができる。
【００２３】
また、例えば、本発明に係るコネクタ装置のうちの請求項２に記載されたものによれば、複数の第１の導電コンタクトのうちの配列端部に位置するもの以外のものが、複数第２の導電コンタクトのうちの相互隣接する２個の間の部位に対向する部位に配置されたもとで、導電性シェルのグラウンド接触部を形成する複数の連結接続部の夫々が複数の第１もしくは第２の導電コンタクトのうちの相互隣接する２個の間に配されることにより、複数の第１の導電コンタクトの配列と複数の第２の導電コンタクトの配列との間に配される中間グラウンド部のグラウンド特性の向上が図られる。従って、複数の連結接続部の数が増加せしめられて中間グラウンド部のグラウンド特性のより一層の向上が図られる場合にも、全体の大型化がまねかれることがない。
【００２４】
また、例えば、本発明に係るコネクタ装置のうちの請求項３に記載されたもののように、絶縁ハウジングと一体化される導電性シェルが、絶縁ハウジングにインサート成形により埋め込まれる部分を有したものとされる場合には、絶縁ハウジングが導電性シェルによって補強されることになり、コネクタ装置全体の機械的強度が高められる。
【００２５】
さらに、例えば、本発明に係るコネクタ装置のうちの請求項４に記載されたもののように、導電性シェルにグラウンド接続部が設けられ、そのグラウンド接続部に、第１及び第２の導電コンタクトの夫々に芯線導体が接続される複数の同軸ケーブルの各々のグラウンド導体が接続される場合には、各同軸ケーブルについて、それに付随するグラウンド回路抵抗が低減され、良好なグラウンド特性が得られる。
【発明を実施するための最良の形態】
【００２６】
本発明を実施するための最良の形態は、以下に述べられる本発明についての実施例をもって説明される。
【実施例１】
【００２７】
図１（上面側から見た斜視図），図２（下面側から見た斜視図）及び図３（底面図）は、本発明に係るコネクタ装置の一例を示す。
【００２８】
図１〜図３において、本発明に係るコネクタ装置の一例を成すコネクタ装置１１は、例えば、ソリッド印刷配線基板との電気的接続がなされたリセプタクルコネクタに対する差込接続に供されるプラグコネクタとして用いられるものとされており、合成樹脂等の絶縁材料によって形成された絶縁ハウジング１２、及び、外部からの電磁波ノイズ対策のため絶縁ハウジング１２の外面部を部分的に覆うものとされた、金属製の導電性カバー１３を備えている。金属製の導電性カバー１３は、後述されるリセプタクルコネクタに設けられたリセプタクル側グラウンド接続部に連結される。
【００２９】
絶縁ハウジング１２は、リセプタクルコネクタに設けられた嵌合凹部に挿入されるべく、絶縁ハウジング１２の長手方向に伸びる嵌合凸部１４を形成している。嵌合凸部１４は、絶縁ハウジング１２に、その長手方向に伸びる当該長手方向に直交する方向において相互対向する対向側壁部の一方及び他方を成す側壁部１４ａ及び１４ｂを有して、外方に突出するものとして形成されている。
【００３０】
絶縁ハウジング１２には、夫々が絶縁ハウジング１２の長手方向に沿って配列配置されるものとされた複数の導電コンタクト１７と複数の導電コンタクト１８とが設けられている。複数の導電コンタクト１７の夫々は、絶縁ハウジング１２が形成する嵌合凸部１４における側壁部１４ａに、その外面に露出するものとして配される部分を有しており、また、複数の導電コンタクト１８の夫々は、絶縁ハウジング１２が形成する嵌合凸部１４における側壁部１４ｂに、その外面に露出するものとして配される部分を有している。
【００３１】
複数の導電コンタクト１７の夫々が有する側壁部１４ａの外面に露出するものとして配される部分は、リセプタクルコネクタの嵌合凹部に設けられたリセプタクル側導電コンタクトに接触する接触部１７ａ（後述される図５）とされており、また、複数の導電コンタクト１８の夫々が有する側壁部１４ｂの外面に露出するものとして配される部分は、リセプタクルコネクタの嵌合凹部に設けられたリセプタクル側導電コンタクトに接触する接触部１８ａ（後述される図６）とされている。従って、複数の導電コンタクト１７が夫々有する複数の接触部１７ａが、嵌合凸部１４における側壁部１４ａに絶縁ハウジング１２の長手方向に沿って配列配置されるとともに、複数の導電コンタクト１８が夫々有する複数の接触部１８ａが、嵌合凸部１４における側壁部１４ｂに絶縁ハウジング１２の長手方向に沿って配列配置されており、複数の接触部１７ａの配列と複数の接触部１８ａの配列とは、絶縁ハウジング１２の長手方向に直交する方向において相互対向することになる。
【００３２】
このような複数の接触部１７ａを夫々有して配列配置される複数の導電コンタクト１７と複数の接触部１８ａを夫々有して配列配置される複数の導電コンタクト１８とは、予め定められた配置関係のもとにおかれる。即ち、図３に明瞭に示されるように、配列配置される複数の導電コンタクト１７のうちの配列端部に位置するもの以外のものが、配列配置される複数の導電コンタクト１８のうちの相互隣接する２個の間の部位に対向する部位に配置されるのである。それにより、複数の導電コンタクト１７が所定の相互間隔をおいて配列配置されるとともに、複数の導電コンタクト１８が所定の相互間隔をおいて配列配置されることになる。
【００３３】
また、絶縁ハウジング１２には、金属製の導電性シェル２０が一体的に設けられている。導電性シェル２０は、図４に示されるように、絶縁ハウジング１２の長手方向に伸びるグラウンド接続部２１，同じく絶縁ハウジング１２の長手方向に伸びる中間グラウンド部２２、及び、グラウンド接続部２１と中間グラウンド部２２とを連結する複数の連結接続部２３とが一体形成されて成るものとされる。複数の連結接続部２３は、中間グラウンド部２２に連結されてリセプタクルコネクタの嵌合凹部に設けられたリセプタクル側グラウンド接触部に接触するグラウンド接触部を形成している。複数の連結接続部２３により形成されるグラウンド接触部がリセプタクルコネクタの嵌合凹部に設けられたリセプタクル側グラウンド接触部に接触する状態におかれるときには、中間グラウンド部２２を含んだ導電性シェル２０の全体に、グラウンド電位が与えられる。このように、中間グラウンド部２２に連結されてリセプタクルコネクタの嵌合凹部に設けられたリセプタクル側グラウンド接触部に接触するグラウンド接触部が、グラウンド接続部２１と中間グラウンド部２２とを連結する複数の連結接続部２３によって形成されることにより、中間グラウンド部２２についてのグラウンド特性の向上が図られる。
【００３４】
斯かる導電性シェル２０は、絶縁ハウジング１２と一体化されるにあたり、絶縁ハウジング１２における嵌合凸部１４にインサート成形により埋め込まれる部分を有するものとされ、斯かる、絶縁ハウジング１２における嵌合凸部１４にインサート成形により埋め込まれる部分には、中間グラウンド部２２も含まれる。それにより、絶縁ハウジング１２が、それにインサート成形により埋め込まれる部分を有した導電性シェル２０によって補強されることになり、コネクタ装置１１の機械的強度が高められる。
【００３５】
そして、絶縁ハウジング１２における嵌合凸部１４に埋め込まれた中間グラウンド部２２は、嵌合凸部１４における側壁部１４ａに配列配置される複数の導電コンタクト１７における接触部１７ａの配列と嵌合凸部１４における側壁部１４ｂに配列配置される複数の導電コンタクト１８における接触部１８ａの配列との間に、これらの配列に沿って、即ち、絶縁ハウジング１２の長手方向に沿って配されることになる位置におかれる。それにより、複数の導電コンタクト１７における接触部１７ａの配列と複数の導電コンタクト１８における接触部１８ａの配列とは、導電性シェル２０における中間グラウンド部２２を挟んで、絶縁ハウジング１２の長手方向に直交する方向において相互対向することになる。
【００３６】
また、導電性シェル２０におけるグラウンド接触部を形成する複数の連結接続部２３の夫々は、配列配置される複数の導電コンタクト１７のうちの相互隣接する２個の間に配される。図３にあっては、複数の導電コンタクト１７と複数の連結接続部２３とが交互に配される状態、即ち、導電コンタクト１７の一つ置きに連結接続部２３が配される状態とされているが、導電コンタクト１７の複数個置きに連結接続部２３が配される状態とされてもよい。それにより、中間グラウンド部２２についてのグラウンド特性のより一層の向上を図るべく、複数の連結接続部２３の数が増大せしめられる場合にあっても、絶縁ハウジング１２の長手方向の寸法を伸ばすことが要されず、全体の大型化をまねく虞がないことになる。
【００３７】
そして、複数の導電コンタクト１７のうちの相互隣接する２個の間に配される複数の連結接続部２３の夫々は、絶縁ハウジング１２が形成する嵌合凸部１４における側壁部１４ａに、その外面に露出するものとして配される部分を有するものとされる。それにより、絶縁ハウジング１２が形成する嵌合凸部１４における側壁部１４ａにおいては、複数の導電コンタクト１７における接触部１７ａと複数の連結接続部２３における部分とが交互に配列配置される状態、あるいは、導電コンタクト１７における接触部１７ａの複数個置きに連結接続部２３における部分が配列配置される状態とされる。
【００３８】
このようなコネクタ装置１１にあっては、複数の同軸ケーブル２５が接続される。これらの同軸ケーブル２５は、絶縁ハウジング１２の長手方向に並べられて全体として板状体を成すものとされ、それらのうちの一つ置きのものが複数の導電コンタクト１７に夫々連結されるとともに、他の一つ置きのものが複数の導電コンタクト１８に夫々連結される。
【００３９】
複数の同軸ケーブル２５の一つ置きのものの夫々と導電コンタクト１７との連結は、図３におけるＶ−Ｖ断面をあらわす図５に示されるように、同軸ケーブル２５の芯線導体２６が、絶縁ハウジング１２に配された導電コンタクト１７に接続されるとともに、同軸ケーブル２５のグラウンド導体２７が、絶縁ハウジング１２の長手方向に伸びる細板状のグラウンド連結部材２８及び２９を介して、導電性シェル２０のグランド接続部２１に接続されることにより行われる。同様に、複数の同軸ケーブル２５の他の一つ置きのものの夫々と導電コンタクト１８との連結は、図３におけるＶＩ−ＶＩ断面をあらわす図６に示されるように、同軸ケーブル２５の芯線導体２６が、絶縁ハウジング１２に配された導電コンタクト１８に接続されるとともに、同軸ケーブル２５のグラウンド導体２７が、絶縁ハウジング１２の長手方向に伸びる細板状のグラウンド連結部材２８及び２９を介して、導電性シェル２０のグランド接続部２１に接続されることにより行われる。
【００４０】
このようにして、複数の導電コンタクト１７には複数の同軸ケーブル２５の一つ置きのものを通じた信号が供給され、また、複数の導電コンタクト１８には複数の同軸ケーブル２５の他の一つ置きのものを通じた信号が供給される。その際、絶縁ハウジング１２における嵌合凸部１４に埋め込まれた中間グラウンド部２２が、複数の導電コンタクト１７における接触部１７ａの配列と複数の導電コンタクト１８における接触部１８ａの配列との間に絶縁ハウジング１２の長手方向に沿って配され、それにより、複数の導電コンタクト１７における接触部１７ａの配列と複数の導電コンタクト１８における接触部１８ａの配列とは、導電性シェル２０における中間グラウンド部２２を挟んで、絶縁ハウジング１２の長手方向に直交する方向において相互対向することになる。従って、複数の導電コンタクト１７の夫々と複数の導電コンタクト１８の夫々との間における信号クロストークの発生が、中間グラウンド部２２を含んで一体形成された導電性シェル２０により、部品点数の増加をまねかず、かつ、プラグコネクタとしての組立て性の悪化をもたらすことなく、確実に防止される。
【００４１】
図５には、導電コンタクト１７の接触部１７ａが、絶縁ハウジング１２が形成する嵌合凸部１４における側壁部１４ａに、その外面に露出するものとして配されている様子，導電性シェル２０の中間グラウンド部２２が嵌合凸部１４に埋め込まれている様子、さらには、導電性カバー１３により絶縁ハウジング１２が部分的に覆われている様子が示されている。また、図６には、導電コンタクト１８の接触部１８ａが、絶縁ハウジング１２が形成する嵌合凸部１４における側壁部１４ｂに、その外面に露出するものとして配されている様子，導電性シェル２０の中間グラウンド部２２が嵌合凸部１４に埋め込まれているとともに、導電性シェル２０の連結接続部２３が、嵌合凸部１４における側壁部１４ａに、その外面に露出するものとして配されている様子、さらには、導電性カバー１３により絶縁ハウジング１２が部分的に覆われている様子が示されている。
【００４２】
図７は、上述のコネクタ装置１１が差込接続されるリセプタクルコネクタの一例を成すリセプタクルコネクタ３１を示す。
【００４３】
図７において、リセプタクルコネクタ３１は、例えば、ソリッド印刷配線基板（図示省略）に、それに設けられた電気回路構成部との電気的接続がなされて取り付けられるものとされ、合成樹脂等の絶縁材料によって形成された絶縁ハウジング３２、及び、外部からの電磁波ノイズ対策のため絶縁ハウジング３２の外面部を部分的に覆うものとされた、金属製の導電性シェル３３を備えている。絶縁ハウジング３２は、コネクタ装置１１における絶縁ハウジング１２が形成する嵌合凸部１４が挿入される、絶縁ハウジング３２の長手方向に伸びる嵌合凹部３４を形成している。
【００４４】
嵌合凹部３４には、コネクタ装置１１における複数の導電コンタクト１７における接触部１７ａが夫々接触することになる複数のリセプタクル側導電コンタクト３５が、絶縁ハウジング３２の長手方向に沿って配列配置されているとともに、コネクタ装置１１における複数の導電コンタクト１８における接触部１８ａが夫々接触することになる複数のリセプタクル側導電コンタクト３６も、絶縁ハウジング３２の長手方向に沿って配列配置されている。そして、配列配置される複数のリセプタクル側導電コンタクト３５のうちの配列端部に位置するもの以外のものが、配列配置される複数のリセプタクル側導電コンタクト３６のうちの相互隣接する２個の間の部位に対向する部位に配置される。それにより、複数のリセプタクル側導電コンタクト３５が所定の相互間隔をおいて配列配置されるとともに、複数のリセプタクル側導電コンタクト３６が所定の相互間隔をおいて配列配置されることになり、複数のリセプタクル側導電コンタクト３５の配列と複数のリセプタクル側導電コンタクト３６の配列とは、絶縁ハウジング３２の長手方向に直交する方向において相互対向する。
【００４５】
複数のリセプタクル側導電コンタクト３５及び複数のリセプタクル側導電コンタクト３６の夫々は、リセプタクルコネクタ３１が取り付けられたソリッド印刷配線基板に設けられた電気回路構成部に接続される。
【００４６】
導電性シェル３３は、絶縁ハウジング３２における嵌合凹部３４の周囲となる部分を覆うものとされる。そして、導電性シェル３３には、複数のリセプタクル側導電コンタクト３５の配列側の部分に、各々が嵌合凹部３４内にまで伸びるものとされて、絶縁ハウジング３２の長手方向に沿って配列配置される複数のリセプタクル側グラウンド接触部３７が形成されており、また、複数のリセプタクル側導電コンタクト３６の配列側の部分に、各々が嵌合凹部３４に向かって伸びるものとされて、絶縁ハウジング３２の長手方向に沿って配列配置される複数のリセプタクル側グラウンド接触部３８が形成されている。さらに、導電性シェル３３には、その絶縁ハウジング３２の長手方向における両端部に、コネクタ装置１１の導電性カバー１３が連結されるリセプタクル側グラウンド接続部４０が形成されている。
【００４７】
複数のリセプタクル側グラウンド接触部３７，複数のリセプタクル側グラウンド接触部３８及び複数のリセプタクル側グラウンド接続部４０が形成された導電性シェル３３は、リセプタクルコネクタ３１が取り付けられたソリッド印刷配線基板に設けられたグラウンド電位部に接続される。
【００４８】
上述のようなリセプタクルコネクタ３１に、複数の同軸ケーブル２５が接続されたコネクタ装置１１が差込接続されるときには、図８に示されるように、コネクタ装置１１の絶縁ハウジング１２が形成する嵌合凸部１４が、リセプタクルコネクタ３１の絶縁ハウジング３２が形成する嵌合凹部３４に挿入される。
【００４９】
図８に示されるように嵌合凸部１４が嵌合凹部３４に挿入されたもとにあっては、複数の同軸ケーブル２５の芯線導体２６が夫々接続された複数の導電コンタクト１７における接触部１７ａ（図８には現れていない。）が、複数のリセプタクル側導電コンタクト３５に夫々接触するとともに、複数の同軸ケーブル２５の芯線導体２６が夫々接続された複数の導電コンタクト１８における接触部１８ａが、複数のリセプタクル側導電コンタクト３６に夫々接触する。また、複数の同軸ケーブル２５のグラウンド導体２７がグラウンド連結部材２８及び２９を介してグラウンド接続部２１に接続された導電性シェル２０における複数の連結接続部２３が、複数のリセプタクル側グラウンド接触部３７に接触する。さらに、コネクタ装置１１における導電性カバー１３が、リセプタクルコネクタ３１における導電性シェル３３に設けられた複数のリセプタクル側グラウンド接触部３８に接触する。
【００５０】
それにより、複数の同軸ケーブル２５のうちの一つ置きのものの芯線導体２６を通じた信号が、コネクタ装置１１における複数の導電コンタクト１７及びリセプタクルコネクタ３１における複数のリセプタクル側導電コンタクト３５を介して、リセプタクルコネクタ３１が取り付けられたソリッド印刷配線基板に設けられた電気回路構成部に供給され、また、複数の同軸ケーブル２５のうちの他の一つ置きのものの芯線導体２６を通じた信号が、コネクタ装置１１における複数の導電コンタクト１８及びリセプタクルコネクタ３１における複数のリセプタクル側導電コンタクト３６を介して、リセプタクルコネクタ３１が取り付けられたソリッド印刷配線基板に設けられた電気回路構成部に供給される。また、それとともに、複数の同軸ケーブル２５の夫々のグラウンド導体２７が、コネクタ装置１１におけるグラウンド接続部２１，中間グラウンド部２２及び複数の連結接続部２３が一体形成されて成る導電性シェル２０、及び、複数のリセプタクル側グラウンド接触部３７，複数のリセプタクル側グラウンド接触部３８及び複数のリセプタクル側グラウンド接続部４０が形成された導電性シェル３３を介して、リセプタクルコネクタ３１が取り付けられたソリッド印刷配線基板に設けられたグラウンド電位部に連結される。
【００５１】
上述の図１〜図６に示される例に備えられている導電性シェル２０は、図４に示される具体的形状を有するものに限定されるものではなく、上述のグラウンド接続部２１，中間グラウンド部２２及び複数の連結接続部２３に夫々相当する部分が一体形成されて成る、任意の形状を有したものとすることができるものである。
【実施例２】
【００５２】
図９は、本発明に係るコネクタ装置の他の例を、それに接続された同軸ケーブルと共に示す。
【００５３】
図９に示される例にあっては、図１〜図６に示される例と同様に構成される部分が多々備えられており、図９においては、図１〜図６に示される各部に対応する部分については、図１〜図６と共通の符号を付して示す。
【００５４】
図９に示される例は、図１〜図６に示される例から、グラウンド連結部材２９が排除されて得られるものに相当し、複数の同軸ケーブル２５が夫々備える複数のグラウンド導体２７が、グラウンド連結部材２８によって連結されたもとで、導電性シェル２０におけるグランド接続部２１に直接的に接続される。その他の構成については、図１〜図６に示される例と同様とされる
【００５５】
図９に示される例の場合、複数の同軸ケーブル２５の夫々のグラウンド導体２７が、導電性シェル２０におけるグランド接続部２１に直接的に接続されるので、複数の同軸ケーブル２５の夫々について、それに付随するグラウンド回路抵抗が低減され、良好なグラウンド特性が得られる。
【産業上の利用可能性】
【００５６】
以上のような本発明に係るコネクタ装置は、例えば、ソリッド印刷配線基板に取り付けられたリセプタクルコネクタとの差込接続に供されるプラグコネクタとして用いることができ、部品点数の増加が抑えられるとともに、プラグコネクタとしての組立て性の悪化がもたらされず、しかも、全体の大型化がまねかれることなく、相互対向する一対の配列を成す複数の導電コンタクトの接触部間における信号クロストークへの対策が効果的に図られるものとして、様々な電子機器等に広く適用され得るものである。
【図面の簡単な説明】
【００５７】
【図１】本発明に係るコネクタ装置の一例を示す上方から見た斜視図である。
【図２】本発明に係るコネクタ装置の一例を示す下方から見た斜視図である。
【図３】本発明に係るコネクタ装置の一例を示す底面図である。
【図４】本発明に係るコネクタ装置の一例に備えられる導電性シェルを示す斜視図である。
【図５】図３におけるＶ−Ｖ断面を示す断面図である。
【図６】図３におけるＶＩ−ＶＩ断面をあらわす断面図である。
【図７】本発明に係るコネクタ装置の一例が差込接続されるリセプタクルコネクタの一例を示す斜視図である。
【図８】本発明に係るコネクタ装置の一例が図７に示されるリセプタクルコネクタに差込接続された状態を示す断面図である。
【図９】本発明に係るコネクタ装置の他の例をそれに接続された同軸ケーブルと共に示す断面図である。
【符号の説明】
【００５８】
１１・・・コネクタ装置，  １２，３２・・・絶縁ハウジング，  １３・・・導電性カバー，  １４・・・嵌合凸部，  １４ａ，１４ｂ・・・側壁部，  １７，１８・・・導電コンタクト，  １７ａ，１８ａ・・・接触部，  ２０，３３・・・導電性シェル，  ２１・・・グラウンド接続部，  ２２・・・中間グラウンド部，  ２３・・・連結接続部，  ２５・・・同軸ケーブル，  ２６・・・芯線導体，  ２７・・・グラウンド導体，  ２８，２９・・・グラウンド連結部材，  ３１・・・リセプタクルコネクタ，  ３４・・・嵌合凹部，  ３５，３６・・・レセプタクル側導電コンタクト，  ３７，３８・・・リセプタクル側グラウンド接触部，  ４０・・・リセプタクル側グラウンド接続部
【図１】
0005057051.tif 000002
【図２】
0005057051.tif 000003
【図３】
0005057051.tif 000004
【図４】
0005057051.tif 000005
【図５】
0005057051.tif 000006
【図６】
0005057051.tif 000007
【図７】
0005057051.tif 000008
【図８】
0005057051.tif 000009
【図９】
0005057051.tif 000010